(57)【要約】【課題】減速機構からのオイル漏れが発生した場合でも、漏れたオイルがドジールタンク内に侵入することを防止する。【解決手段】タンク１２内に貯留された液体を撹拌するための回転羽根２８と、回転羽根を回転させるための回転軸２６と、回転軸を回転駆動するためのモータ２２と、モータと回転軸との間に配置された減速機構２４とを有する撹拌装置に用いられ、減速機構からもれたオイルが液体に混入することを防止するためのオイル混入防止装置であって、回転軸の周囲に、タンクに蓋をする状態で配置された受け板５２と、回転軸の、減速機構と受け板の間に位置する部分に取り付けられた下に開いた傘状の部材５０とを具備する。【選択図】      図２
2005102539.tif 000002
【特許請求の範囲】
【請求項１】
タンク内に貯留された液体を撹拌するための回転羽根と、該回転羽根を回転させるための回転軸と、該回転軸を回転駆動するためのモータと、該モータと前記回転軸との間に配置され前記モータの回転を減速して前記回転軸に伝達するための減速機構とを有する撹拌装置に用いられ、前記減速機構からもれたオイルが前記液体に混入することを防止するためのオイル混入防止装置であって、
前記回転軸の周囲に、前記タンクに蓋をする状態で配置された受け板と、
前記回転軸の、前記減速機構と前記受け板の間に位置する部分に取り付けられた下に開いた傘状の部材と、
を具備することを特徴とするオイル混入防止装置。
【請求項２】
前記傘状の部材は、白色の材料から形成されていることを特徴とする請求項１に記載のオイル混入防止装置。
【請求項３】
前記傘状の部材は、ゴム材料から形成されていることを特徴とする請求項２に記載のオイル混入防止装置。
【請求項４】
前記受け板の内周部には、該受け板にたまったオイルが該受け板と前記回転軸との間に侵入することを防止するための段差部が形成されていることを特徴とする請求項１に記載のオイル混入防止装置。
【請求項５】
前記受け板の内周面と、前記回転軸の外周面との間には、オイルが前記受け板と前記回転軸との間に侵入することを防止するためのシール部材が配置されていることを特徴とする請求項１に記載のオイル混入防止装置。
【請求項６】
前記傘状の部材の周囲を覆うハウジングをさらに具備し、該ハウジングの側壁には、前記受け板上にたまったオイルを前記ハウジング外に逃がすための開口穴が形成されていることを特徴とする請求項１に記載のオイル混入防止装置。
【請求項７】
前記傘状の部材の周囲を覆うハウジングをさらに具備し、該ハウジングの側壁には、該ハウジング内を観察するための窓が設けられていることを特徴とする請求項１に記載のオイル混入防止装置。
【請求項８】
前記回転軸には、前記タンク内を洗浄するために洗浄液を噴出するための洗浄ユニットが配置されていることを特徴とする請求項１に記載のオイル混入防止装置。
【発明の詳細な説明】
【技術分野】
【０００１】
本発明は、ビールを貯留するドジールタンクにおけるオイル混入防止装置に関するものである。
【背景技術】
【０００２】
従来より、ビールの製造工程においては、ドジールタンクと呼ばれる貯留タンクにビールを貯留する工程がある。このドジールタンクには、タンク内のビールを撹拌するための撹拌機構が設けられている。
【特許文献１】特開２００２−３２３１４３号公報
【発明の開示】
【発明が解決しようとする課題】
【０００３】
図３は、従来のドジールタンクの上部の構成を示す部分拡大図である。
【０００４】
図３において、ビールを撹拌するための撹拌機構は、駆動源となるモータ１０２と、モータ１０２の回転軸１０２ａに接続されモータ１０２の回転を減速するための減速機構１０４と、減速機構１０４の出力軸に接続され下端部に攪拌用の羽根１０８が取り付けられた回転軸１０６とを備えている。
【０００５】
このような従来の撹拌機構においては、減速機構１０４内に潤滑油（オイル）が充填されており、もし減速機構１０４からオイル漏れが発生した場合、そのオイルが符号１１０で示すように回転軸１０６を伝ってタンク内に侵入し、ビールに混入する恐れがあった。もちろん、ビール内にオイルが混入した場合には、タンク内のビールを全て廃棄しなければならないので、減速機構１０４はオイル漏れが起こらないように充分配慮して設計されているが、万一オイル漏れが発生した場合には、タンク内のビールを廃棄してタンク内を洗浄しなければならないため、生産性を著しく低下させるという問題点があった。
【０００６】
従って、本発明は上述した課題に鑑みてなされたものであり、その目的は、減速機構からのオイル漏れが発生した場合でも、漏れたオイルがドジールタンク内に侵入することを防止することである。
【課題を解決するための手段】
【０００７】
上述した課題を解決し、目的を達成するために、本発明に係わるオイル混入防止装置は、タンク内に貯留された液体を撹拌するための回転羽根と、該回転羽根を回転させるための回転軸と、該回転軸を回転駆動するためのモータと、該モータと前記回転軸との間に配置され前記モータの回転を減速して前記回転軸に伝達するための減速機構とを有する撹拌装置に用いられ、前記減速機構からもれたオイルが前記液体に混入することを防止するためのオイル混入防止装置であって、前記回転軸の周囲に、前記タンクに蓋をする状態で配置された受け板と、前記回転軸の、前記減速機構と前記受け板の間に位置する部分に取り付けられた下に開いた傘状の部材と、を具備する。
【０００８】
また、この発明に係わるオイル混入防止装置において、前記傘状の部材は、白色の材料から形成されていることを特徴とする。
【０００９】
また、この発明に係わるオイル混入防止装置において、前記傘状の部材は、ゴム材料から形成されていることを特徴とする。
【００１０】
また、この発明に係わるオイル混入防止装置において、前記受け板の内周部には、該受け板にたまったオイルが該受け板と前記回転軸との間に侵入することを防止するための段差部が形成されていることを特徴とする。
【００１１】
また、この発明に係わるオイル混入防止装置において、前記受け板の内周面と、前記回転軸の外周面との間には、オイルが前記受け板と前記回転軸との間に侵入することを防止するためのシール部材が配置されていることを特徴とする。
【００１２】
また、この発明に係わるオイル混入防止装置において、前記傘状の部材の周囲を覆うハウジングをさらに具備し、該ハウジングの側壁には、前記受け板上にたまったオイルを前記ハウジング外に逃がすための開口穴が形成されていることを特徴とする。
【００１３】
また、この発明に係わるオイル混入防止装置において、前記傘状の部材の周囲を覆うハウジングをさらに具備し、該ハウジングの側壁には、該ハウジング内を観察するための窓が設けられていることを特徴とする。
【００１４】
また、この発明に係わるオイル混入防止装置において、前記回転軸には、前記タンク内を洗浄するために洗浄液を噴出するための洗浄ユニットが配置されていることを特徴とする。
【発明の効果】
【００１５】
以上のように構成される本発明によれば、減速機構からのオイル漏れが発生した場合でも、漏れたオイルがドジールタンク内に侵入することを防止することが可能となる。
【発明を実施するための最良の形態】
【００１６】
以下、本発明の好適な一実施形態について、添付図面を参照して詳細に説明する。
【００１７】
図１は、本発明のオイル混入防止装置が適用されたドジールタンクの一実施形態を示す側面図である。
【００１８】
図１において、ドジールタンク１０は、ビールを貯留するためのタンク本体１２と、タンク本体１２に配置されタンク本体１２内のビールを撹拌するための撹拌機構２０とを備えている。撹拌機構２０は、タンク本体１２の上部に配置された駆動源としてのモータ２２と、モータ２２の回転軸２２ａに接続されモータ２２の回転を減速するための減速機構２４と、減速機構２４の出力軸に接続され下端部に攪拌用の羽根２８が取り付けられた回転軸２６とを備えている。
【００１９】
また、モータ２２の回転軸２２ａ及び回転軸２６は中空に形成されており、洗浄水供給部３０から供給された洗浄水が、モータ２２の回転軸２２ａと、減速機構２４内の不図示のパイプと、回転軸２６の内部とを通って、洗浄ユニット３２に供給され、洗浄ユニット３２の先端部に設けられたスプレイボール３４から噴出されるようになされている。この構成において、タンク本体１２を空にした後、回転軸２６を回転させながらスプレイボール３４から洗浄水を噴出することにより、タンク本体１２内の洗浄を行なうことができる。
【００２０】
なお、タンク本体１２の上部には、マンホール１２ａが設けられており、必要に応じて作業者がドジールタンク内を観察することができるようになされている。
【００２１】
図２は、本実施形態のドジールタンクの上部の構造を示す部分拡大図である。
【００２２】
図２において、既に述べたように、撹拌機構２０は、タンク本体１２の上部に配置された駆動源としてのモータ２２と、モータ２２の回転軸２２ａに接続されモータ２２の回転を減速するための減速機構２４と、減速機構２４の出力軸に接続され下端部に攪拌用の羽根２８が取り付けられた回転軸２６とを備えている。この構成により、モータ２２の回転速度が減速機構２４で減速され、回転軸２６及び羽根２８が所望の回転速度で回転し、ビールを撹拌する。
【００２３】
減速機構２４は、既によく知られている歯車機構を用いた減速機構であり、歯車同士の噛み合いを円滑にするために、内部に潤滑油（オイル）が充填されている。
【００２４】
回転軸２６の、減速機構２４とタンク本体１２の内部に位置するタンク内軸部２６ａとの間の位置には、傘状の部材５０が下に開いた状態で取り付けられている。この傘状部材５０は、減速機構２４から万一オイル漏れがあった場合に、オイルを受けて、オイルを回転軸２６の外周面から離れた位置に落下させるためのものである。傘状部材５０は、白色のゴム材料から形成されており、白色であることにより、この傘状部材５０にオイルが付着した場合には、目視で容易に確認することができ、オイル漏れを早期に発見することができる。
【００２５】
傘状部材５０の下方には、傘状部材５０から落下するオイルを受けると共に、回転軸２６を回転自在に案内するための受け板５２が設けられている。受け板５２の内周部には、この受け板５２で受けられたオイルが回転軸２６と受け板５２の間の隙間に侵入しないように堰き止めるために、段差部５２ａが設けられている。さらに、受け板５２上のオイルがこの段差部５２ａを乗り越えた場合でも、回転軸２６と受け板５２の間の隙間にオイルが侵入しないように、ゴム製のシール部材５４が段差部５２ａの内周面と回転軸２６の外周面の間に配置されている。
【００２６】
また、傘状部材５０の周囲は、タンク本体１２に固定されたハウジング５４により覆われており、このハウジング５４には、受け板５２で受けられたオイルをハウジング５４の外部に逃がすための開口穴５６ａが設けられている。これにより、受け板５２上にオイルがたまることが防止される。
【００２７】
さらに、ハウジング５４の側面には、窓５８が設けられており、この窓５８から作業者が内部の様子を観察することができるようになされている。既に述べたように、傘状部材５０は白色の材料から形成されているので、窓５８から作業者が覗くことにより、傘状部材５０に付着したオイルを容易に確認することができ、オイル漏れを早期に発見することができる。
【００２８】
以上説明したように、上記の実施形態によれば、減速機構２４から万一オイル漏れがあった場合でも、傘状部材５０により回転軸２６の外周面から離れた位置にオイルを落下させることができ、その落下したオイルを受け板５２で受けることができるので、オイルがビール内に混入することを確実に防止することができる。
【００２９】
また、傘状部材５０が白色の材料で形成されているので、オイル漏れを容易に発見することができる。
【００３０】
また、傘状部材５０の周囲のハウジングに開口穴５６ａを設けて、受け板５２上のオイルを外部に逃がすようにしているので、受け板５２上にたまったオイルがさらにビール内に混入することを防止できる。
【００３１】
さらに、傘状部材５０の周囲のハウジングに窓５８を設けることにより、作業者が目視で容易にオイル漏れを発見することができる。
【図面の簡単な説明】
【００３２】
【図１】本発明のオイル混入防止装置が適用されたドジールタンクの一実施形態を示す側面図である。
【図２】一実施形態のドジールタンクの上部の構造を示す部分拡大図である。
【図３】従来例を示す図である。
【符号の説明】
【００３３】
１０  ドジールタンク
１２  タンク本体
２０  減速機構
２２  モータ
２４  減速機構
２６  回転軸
２８  羽根
３０  洗浄水供給部
３２  洗浄ユニット
３４  スプレイボール
５０  傘状部材
５２  受け板
５４  シール部材
５６  ハウジング
５６ａ  開口穴
５８  窓
【図１】
2005102539.tif 000003
【図２】
2005102539.tif 000004
【図３】
2005102539.tif 000005